(57)【要約】  短時間且つ低コストで凝集量を算出する。  そのための凝集量計測装置は、血液の流れを撮影するＴＶカメラ３と、ＴＶカメラ３によって得られた血流画像から血球Ｃの速度又は流れ角度を算出し、当該血球Ｃの速度又は流れ角度に基づいて凝集領域Ｒ１，Ｒ２を判別し、当該凝集領域Ｒ１，Ｒ２における凝集量を算出する演算処理部７０とを備える。
2010137471.tif 000002
【特許請求の範囲】
【請求項１】
血液の流れを撮影する撮影手段と、
前記撮影手段によって得られた血流画像から、血球の速度、又は血球の流れ方向と基準方向のなす流れ角度を算出する血流情報算出手段と、
前記血球の速度又は流れ角度に基づいて、凝集が発生している凝集領域を判別する凝集領域判別手段と、
前記凝集領域における凝集量を算出する凝集量算出手段と、
を備えることを特徴とする凝集量計測装置。
【請求項２】
前記凝集量算出手段は、前記血流画像中の前記凝集領域における血球のエッジ量又は濃度に基づいて、血球が滞留している血球滞留部を当該凝集領域から抽出し、当該血球滞留部の面積を前記凝集量として算出することを特徴とする請求項１に記載の凝集量計測装置。
【請求項３】
前記凝集領域判別手段は、
前記血流画像中の各位置において、前記血球の速度又は流れ角度が、血球が流れている状態に対して判定基準よりも大きく変化したか否かを判定し、判定基準よりも大きく変化した部分を変化部分として抽出し、
前記血液が流れる流路が前記血球の径よりも広い幅に形成された場合であって、当該流路中に前記変化部分に囲まれた領域があるときは、当該領域を前記凝集領域として判別し、
前記血液が流れる流路が、前記血球の径以下の幅に形成されたゲートを有する場合であって、当該ゲートへの前記血液の流入部に前記変化部分があるときは、当該ゲート内部の領域を前記凝集領域として判別することを特徴とする請求項１又は２に記載の凝集量計測装置。
【請求項４】
前記撮影手段は、前記血液の流し始めの状態と、当該流し始めの状態から時間が経過した時間経過状態とにおける前記血液の流れを撮影し、
前記凝集領域判別手段は、前記流し始めの状態を血球が流れている状態として、前記時間経過状態における前記凝集領域を判別することを特徴とする請求項３に記載の凝集量計測装置。
【請求項５】
血液の流れを撮影する撮影工程と、
前記撮影工程で得られた血流画像から、血球の速度、又は血球の流れ方向と基準方向のなす流れ角度を算出する血流情報算出工程と、
前記血球の速度又は流れ角度に基づいて、凝集が発生している凝集領域を判別する凝集領域判別工程と、
前記凝集領域における凝集量を算出する凝集量算出工程と、
を備えることを特徴とする凝集量計測方法。
【請求項６】
前記凝集量算出工程では、前記血流画像中の前記凝集領域における血球のエッジ量又は濃度に基づいて、血球が滞留している血球滞留部を当該凝集領域から抽出し、当該血球滞留部の面積を前記凝集量として算出することを特徴とする請求項５に記載の凝集量計測方法。
【請求項７】
前記凝集領域判別工程では、
前記血流画像中の各位置において、前記血球の速度又は流れ角度が、血球が流れている状態に対して判定基準よりも大きく変化したか否かを判定し、判定基準よりも大きく変化した部分を変化部分として抽出し、
前記血液が流れる流路が前記血球の径よりも広い幅に形成された場合であって、当該流路中に前記変化部分に囲まれた領域があるときは、当該領域を前記凝集領域として判別し、
前記血液が流れる流路が、前記血球の径以下の幅に形成されたゲートを有する場合であって、当該ゲートへの前記血液の流入部に前記変化部分があるときは、当該ゲート内部の領域を前記凝集領域として判別することを特徴とする請求項５又は６に記載の凝集量計測方法。
【請求項８】
前記撮影工程では、前記血液の流し始めの状態と、当該流し始めの状態から時間が経過した時間経過状態とにおける前記血液の流れを撮影し、
前記凝集領域判別工程は、前記流し始め状態を血球が流れている状態として、前記時間経過状態における前記凝集領域を判別することを特徴とする請求項７に記載の凝集量計測方法。
【発明の詳細な説明】
【技術分野】
【０００１】
本発明は、凝集量計測装置及び凝集量計測方法に関する。
【背景技術】
【０００２】
近年、健康に対する関心の高まりとともに、健康のバロメータとして血液の流動性が注目されるようになっている。この血液の流動性を調べる方法としては、微細な溝を有するフィルタに血液を通過させて、通過に要する時間を計測する方法が知られている（例えば、特許文献１参照）。【０００３】
ところで、流動性が低い血液では、血球が滞留して集塊状に結合していく凝集が発生しやすい。この凝集の発生は血液の流動性に大きく影響するため、凝集の発生の程度を凝集量として定量化することや、その高精度な計測方法の確立が望まれている。【０００４】
そこで、白血球だけを抽出した血液の血流画像を解析し、滞留する白血球の数量及び面積を凝集量として算出する方法（例えば、特許文献２参照）や、赤血球だけを抽出した血液の血流画像を解析し、赤血球の凝集率（凝集量）を算出する方法（例えば、特許文献３参照）が提案されている。
【先行技術文献】
【特許文献】
【０００５】
【特許文献１】特許第２６８５５４４号公報
【特許文献２】特開２００１−２６４３１８号公報
【特許文献３】特開２００６−７１４７５号公報
【発明の概要】
【発明が解決しようとする課題】
【０００６】
しかしながら、上記特許文献２，３に記載の方法では、凝集の発生の程度に拘らず所定の画像範囲全てについて解析処理を行うため、凝集が発生していない領域に対しても解析処理がなされてしまう。その結果、解析時間が長くなり、解析コストもかさんでしまう。【０００７】
本発明は、上記事情を鑑みてなされたもので、従来に比べ、短時間且つ低コストで凝集量を算出することのできる凝集量計測装置及び凝集量計測方法の提供を課題とする。
【課題を解決するための手段】
【０００８】
前記の課題を解決するために、請求項１に記載の発明は、凝集量計測装置であって、
血液の流れを撮影する撮影手段と、
前記撮影手段によって得られた血流画像から、血球の速度、又は血球の流れ方向と基準方向のなす流れ角度を算出する血流情報算出手段と、
前記血球の速度又は流れ角度に基づいて、凝集が発生している凝集領域を判別する凝集領域判別手段と、
前記凝集領域における凝集量を算出する凝集量算出手段と、
を備えることを特徴とする。【０００９】
請求項２に記載の発明は、請求項１に記載の凝集量計測装置であって、
前記凝集量算出手段は、前記血流画像中の前記凝集領域における血球のエッジ量又は濃度に基づいて、血球が滞留している血球滞留部を当該凝集領域から抽出し、当該血球滞留部の面積を前記凝集量として算出することを特徴とする。【００１０】
請求項３に記載の発明は、請求項１又は２に記載の凝集量計測装置であって、
前記凝集領域判別手段は、
前記血流画像中の各位置において、前記血球の速度又は流れ角度が、血球が流れている状態に対して判定基準よりも大きく変化したか否かを判定し、判定基準よりも大きく変化した部分を変化部分として抽出し、
前記血液が流れる流路が前記血球の径よりも広い幅に形成された場合であって、当該流路中に前記変化部分に囲まれた領域があるときは、当該領域を前記凝集領域として判別し、
前記血液が流れる流路が、前記血球の径以下の幅に形成されたゲートを有する場合であって、当該ゲートへの前記血液の流入部に前記変化部分があるときは、当該ゲート内部の領域を前記凝集領域として判別することを特徴とする。【００１１】
請求項４に記載の発明は、請求項３に記載の凝集量計測装置であって、
前記撮影手段は、前記血液の流し始めの状態と、当該流し始めの状態から時間が経過した時間経過状態とにおける前記血液の流れを撮影し、
前記凝集領域判別手段は、前記流し始めの状態を血球が流れている状態として、前記時間経過状態における前記凝集領域を判別することを特徴とする。【００１２】
請求項５に記載の発明は、凝集量計測方法であって、
血液の流れを撮影する撮影工程と、
前記撮影工程で得られた血流画像から、血球の速度、又は血球の流れ方向と基準方向のなす流れ角度を算出する血流情報算出工程と、
前記血球の速度又は流れ角度に基づいて、凝集が発生している凝集領域を判別する凝集領域判別工程と、
前記凝集領域における凝集量を算出する凝集量算出工程と、
を備えることを特徴とする。【００１３】
請求項６に記載の発明は、請求項５に記載の凝集量計測方法であって、
前記凝集量算出工程では、前記血流画像中の前記凝集領域における血球のエッジ量又は濃度に基づいて、血球が滞留している血球滞留部を当該凝集領域から抽出し、当該血球滞留部の面積を前記凝集量として算出することを特徴とする。【００１４】
請求項７に記載の発明は、請求項５又は６に記載の凝集量計測方法であって、
前記凝集領域判別工程では、
前記血流画像中の各位置において、前記血球の速度又は流れ角度が、血球が流れている状態に対して判定基準よりも大きく変化したか否かを判定し、判定基準よりも大きく変化した部分を変化部分として抽出し、
前記血液が流れる流路が前記血球の径よりも広い幅に形成された場合であって、当該流路中に前記変化部分に囲まれた領域があるときは、当該領域を前記凝集領域として判別し、
前記血液が流れる流路が、前記血球の径以下の幅に形成されたゲートを有する場合であって、当該ゲートへの前記血液の流入部に前記変化部分があるときは、当該ゲート内部の領域を前記凝集領域として判別することを特徴とする。【００１５】
請求項８に記載の発明は、請求項７に記載の凝集量計測方法であって、
前記撮影工程では、前記血液の流し始めの状態と、当該流し始めの状態から時間が経過した時間経過状態とにおける前記血液の流れを撮影し、
前記凝集領域判別工程は、前記流し始め状態を血球が流れている状態として、前記時間経過状態における前記凝集領域を判別することを特徴とする。
【発明の効果】
【００１６】
本発明によれば、凝集が発生している凝集領域が血球の速度又は流れ角度に基づいて判別された後、この凝集領域に対して凝集量の算出が行われる。これにより、凝集が発生していない領域に対して解析処理を行うことがなく、解析時間を短縮し解析コストを低減しつつ凝集量を算出することができる。したがって、従来に比べ、短時間且つ低コストで凝集量を算出することができる。【００１７】
また更に、血流画像中の凝集領域における血球のエッジ量又は濃度に基づいて、血球が滞留している血球滞留部を当該凝集領域から抽出し、当該血球滞留部の面積を凝集量として算出するようにした場合には、血球の速度又は流れ角度に基づいて凝集領域が判別された上で、更にその凝集領域に対して血球のエッジ量又は濃度に基づいて凝集量の算出が行われる。つまり、凝集の発生の判定が２重になされることになる。したがって、凝集の発生をより高精度に判定することができる。
【図面の簡単な説明】
【００１８】
【図１】凝集量計測装置の全体構成を示すブロック図である。
【図２】フィルタの断面図である。
【図３】（ａ）流路部の平面図であり、（ｂ）側断面図である。
【図４】凝集量計測方法のフローチャートである。
【図５】（ａ）血液の流し始め状態における血球の速度ベクトル図であり、（ｂ）時間経過状態における血球の速度ベクトル図である。
【発明を実施するための形態】
【００１９】
以下、本発明の実施形態について、図を参照して説明する。
【００２０】
図１は、本発明に係る凝集量計測装置１の全体構成を示すブロック図である。
【００２１】
この図に示すように、凝集量計測装置１は、血液を供給槽１０からフィルタ２に通して排出槽１１へ導き、その過程で取得される情報から血液中の血球の凝集量を求めるものである。なお、本実施形態において、凝集量とは、凝集の発生の程度を表す後述の定量値をいい、凝集とは、血球が滞留して集塊状に結合することをいう。
【００２２】
具体的には、凝集量計測装置１は、主に、フィルタ２と、フィルタ２内の血液の流れを撮影するＴＶカメラ３と、ＴＶカメラ３によって得られた血流画像に基づいて凝集量を算出するパソコン（ＰＣ）７と、血流画像等を表示するディスプレイ８と、フィルタ２内の血流を制御する差圧制御部９とを備えている。なお、本実施形態における凝集量計測装置１には、生理食塩水や生理活性物質などの液体を血液と混合してフィルタ２に導けるよう、ミクサー１２を介して流路に連結された複数の溶液びん１３等が更に具備されている。そして、生理食塩水や生理活性物質などの液体と混合した血液（以下、血液という）は、差圧制御部９が加圧ポンプ１５及び減圧ポンプ１６を制御してフィルタ２前後の差圧を調整することにより、フィルタ２内を所望量だけ流れるようになっている。また、上述の差圧制御部９やミクサー１２の他、供給槽１０のバルブ１０ａ等は、シーケンス制御部１７によって統合制御されている。
【００２３】
図２は、フィルタ２の断面図である。
【００２４】
フィルタ２は、図２に示すように、ベース板２１、シリコン単結晶基板２２，２２、外側板２３及びガラス平板２４を含んで構成されている。
【００２５】
ベース板２１は、平板状に形成されており、中央近傍の上面と外側面とを連通する導入孔２１ａ、及び一側端寄りの上面と外側面とを連通する排出孔２１ｂを有している。これら導入孔２１ａ及び排出孔２１ｂは、ベース板２１の外側面から血液チューブ（図示せず）を介して供給槽１０及び排出槽１１に連結されている。
【００２６】
２つのシリコン単結晶基板２２，２２は、いずれも略平板状に形成されており、互いに所定の隙間を介した状態でベース板２１の上面に並設されている。この２つのシリコン単結晶基板２２，２２間の隙間には、ベース板２１の導入孔２１ａが開口している。また、シリコン単結晶基板２２，２２の上端部には、隆起部２２ａが矢印Ｘの方向（以下、Ｘ方向という）に延在しており、この隆起部２２ａの上端部には、六角形状の土手部２２ｂが頂面をガラス平板２４に当接させてＸ方向に複数配列されている（図３参照）。
【００２７】
外側板２３は、シリコン単結晶基板２２，２２の周囲を囲んでベース板２１の上面端に固定されている。外側板２３とシリコン単結晶基板２２，２２との間には所定の隙間が設けられ、この隙間にベース板２１の排出孔２１ｂが開口している。
【００２８】
ガラス平板２４は、平板状に形成されており、外側板２３の上面に固定されている。また、ガラス平板２４の下面と隆起部２２ａの上面との間には、微細な流路群の流路部２５が形成されている。
【００２９】
図３（ａ）は、流路部２５を上面から見た図（平面図）であり、図３（ｂ）は、その側断面図である。
【００３０】
流路部２５は、図３（ａ），（ｂ）に示すように、隆起部２２ａ上端部の複数の土手部２２ｂ，…に挟まれて形成される複数のゲート２５ａと、当該ゲート２５ａよりもフィルタ２中央側（図中の上側）の空間である上流テラス２５ｂと、ゲート２５ａよりもフィルタ２外側（図中の下側）の空間である下流テラス２５ｃとから構成されている。
【００３１】
このうち、ゲート２５ａは、本実施形態においては、赤血球の血球径（約８μｍ）よりも狭い幅ｔに形成されている。また、特に限定はされないが、上流テラス２５ｂ，ゲート２５ａ，下流テラス２５ｃにおける矢印Ｙの方向（以下、Ｙ方向という）の各長さｌａ，ｌｂ，ｌｃは、いずれも約３０μｍに形成されている。なお、ゲート２５ａの幅ｔは、凝集量を計測する計測対象の血球種の血球径以下であればよいが、これに限定されず、上流テラス２５ｂ及び下流テラス２５ｃの幅よりも狭ければよい。より好ましくは、ゲート２５ａの幅ｔは、凝集量を計測する計測対象の血球種の血球径に対し、当該血球径と同程度の幅として、血球１個が通過可能な幅であって血球２個が並列して同時に通過できない程度の幅であるのがよい。但し、ゲート２５ａの幅ｔが血球径よりも狭い幅であると、当該ゲート２５ａを通過する血球の変形の様子を容易に観察できる点で好ましい。このゲート２５ａの幅ｔの下限としては、血球が通過可能な最小の幅である。また、上流テラス２５ｂ及び下流テラス２５ｃは、血球径よりも広い幅に形成されていればよい。
【００３２】
以上の構成を具備するフィルタ２においては、供給槽１０から導入孔２１ａを通じて導入された血液は、当該フィルタ２の中央側から外側へ向かって流路部２５を通過した後、排出孔２１ｂを通じて排出槽１１へ排出されることとなる。より詳細には、流路部２５を流れる血液中の血球Ｃ、例えば赤血球は、まず上流テラス２５ｂを通過した後、ゲート２５ａを変形しながら通過し、最後に下流テラス２５ｃを通過することとなる。
【００３３】
また、フィルタ２の上流及び下流には、図１に示すように、圧力センサＥ１，Ｅ２が設けられており、この圧力センサＥ１，Ｅ２は、計測したフィルタ上流圧力Ｐ１，フィルタ下流圧力Ｐ２を差圧制御部９へ出力するようになっている。
【００３４】
ＴＶカメラ３は、例えばデジタルＣＣＤカメラであり、血液の流れを撮影するのに十分な解像度及びシャッタースピードを有した高速カメラである。このＴＶカメラ３は、フィルタ２におけるガラス平板２４に対向して設置され、流路部２５を通過する血液の流れをガラス平板２４超しに撮影する。ＴＶカメラ３によって得られた血流画像は、パソコン７に出力されるとともに、ディスプレイ８に表示されるようになっている。なお、ＴＶカメラ３は、特に限定はされないが、動画が撮影可能なカメラである。
【００３５】
パソコン７は、ＴＶカメラ３から入力された血流画像を解析して血球Ｃの凝集量を算出する演算処理部７０を備えている。このような演算処理部７０としては、従来より公知のものを用いることができる。
【００３６】
ディスプレイ８は、ＴＶカメラ３から入力された血流画像や、パソコン７によって解析された解析画像等を表示する。
【００３７】
差圧制御部９は、シーケンス制御部１７，加圧ポンプ１５及び減圧ポンプ１６と接続されており、シーケンス制御部１７からの制御指令に応じてフィルタ２前後の差圧を制御するようになっている。より詳細には、差圧制御部９は、フィルタ上流圧力Ｐ１及びフィルタ下流圧力Ｐ２が所定の圧力となるように、フィルタ２上流の加圧ポンプ１５とフィルタ２下流の減圧ポンプ１６とをそれぞれ制御する。なお、この差圧制御部９やシーケンス制御部１７は、パソコン７と一体に構成してもよい。
【００３８】
続いて、凝集量計測装置１を用いて血球Ｃの凝集量を計測する凝集量計測方法について、主に図４を参照して説明する。
【００３９】
図４は、凝集量計測方法のフローチャートである。
【００４０】
この図に示すように、まず、フィルタ２へ計測対象の血液を流す（ステップＳ１）。具体的には、供給槽１０へ計測対象の血液を注ぐとともに、必要に応じて溶液びん１３へ生理食塩水等を加える。すると、差圧制御部９によりフィルタ２に所定の差圧が加えられて血液がフィルタ２へ流される。
【００４１】
次に、ＴＶカメラ３により、流路部２５を通過する血液の流れを撮影する（ステップＳ２）。このとき、ＴＶカメラ３は、少なくとも、血液の流し始めの状態（流し始め状態）と、当該流し始めの状態から所定の時間が経過した状態（時間経過状態）とにおける血液の流れをそれぞれ動画撮影する。ここで、所定の時間とは、流路部２５で凝集が発生するのに十分な時間である。
【００４２】
次に、血球Ｃの速度ベクトルを算出する（ステップＳ３）。このステップは、パソコン７の演算処理部７０がステップＳ２で得られた血流画像を解析することにより行われる。この速度ベクトルの算出には、特開２００６−２２３７６１号公報や特開２００２−１４８２７０号公報等に記載の公知の方法を用いることができる。そして、この速度ベクトルの算出を、血液の流し始め状態と時間経過状態との少なくとも２つの状態に対して行う。
【００４３】
このステップＳ３での速度ベクトルの算出により、図５（ａ），（ｂ）に示すような解析画像が得られる。ここで、図５（ａ）は、血液の流し始め状態における血球Ｃの速度ベクトル図であり、図５（ｂ）は、時間経過状態における血球Ｃの速度ベクトル図である。但し、図５（ｂ）では、滞留している血球Ｃをその状態のまま図示している。これらの図に示すように、血液の流し始めでは血球Ｃは滞留することなく滑らかに流路部２５を流れるが、時間の経過に伴って滞留していき、凝集が発生する。
【００４４】
次に、図４に示すように、血球Ｃの速度と流れ角度とを算出する（ステップＳ４）。このステップでは、演算処理部７０は、ステップＳ３で算出された血球Ｃの速度ベクトルから、血球Ｃの速度、及び血球Ｃの流れ方向と基準方向とのなす流れ角度を、血液の流し始め状態及び時間経過状態それぞれでの各血球Ｃについて算出する。
【００４５】
ここで基準方向とは、撮影領域の各位置でそれぞれ任意の方向を設定可能であり、本実施形態としては血液の流し始め状態における各位置での流れ方向（流線）を基準方向としている。なおこれに限られず、撮影領域全体の流れ方向としてＹ方向（図３参照）を各位置共通の基準方向として用いてもよい。
【００４６】
次に、凝集が発生している凝集領域を判別する（ステップＳ５）。このステップでは、演算処理部７０は、ステップＳ４で算出した血球Ｃの速度又は流れ角度に基づいて、時間経過状態における凝集領域を判別する。具体的には、演算処理部７０は、血流画像中の各位置における時間経過状態における血球Ｃの速度又は流れ角度を、血球が流れている流し始め状態のものと比較する。そして、流し始め状態に比べて血球Ｃの速度又は流れ角度の変化量を算出する。算出した変化量が判定基準よりも大きいか否かを判定し、判定基準よりも大きく、つまり大きく変化した部分を変化部分Ｄとして抽出する。なお変化量としては差分量でもよく比率でもよい。
【００４７】
つまり、図５（ｂ）での速度ベクトルを表す矢印の長さ又は方向を、図５（ａ）での同一位置のものと比較し、判定基準よりも大きく変化している部分を変化部分Ｄとして抽出する。それから、演算処理部７０は、前述のように血球の径よりも広い幅に形成された流路である上流テラス２５ｂ及び下流テラス２５ｃ中に変化部分Ｄに囲まれた領域があるときは、当該領域を凝集領域Ｒ１として判別する。また血球の径以下の幅に形成されたゲートであるゲート２５ａへの血液の流入部に変化部分Ｄがあるときは、ゲート２５ａ内部の領域を凝集領域Ｒ２として判別する。ゲート内部の領域とは、血球の径以下の幅に形成された領域及びこの領域に少なくとも一部が含まれる変化部分Ｄに囲まれた領域を加えた領域である。
【００４８】
なお、変化部分Ｄの抽出方法の変形例として以下のようにしてもよい。血流画像中の各位置において、時間経過状態における血球Ｃの速度又は流れ角度の血球が流れている「流し始め状態」に対する変化量を算出する。そして、算出した変化量が他の位置との比較において、他の位置よりも大きく変化した部分を変化部分Ｄとして抽出する。
【００４９】
次に、凝集領域Ｒ１，Ｒ２における凝集量を算出する（ステップＳ６）。このステップでは、演算処理部７０は、血流画像中の凝集領域Ｒ１，Ｒ２における血球Ｃのエッジ量又は濃度に基づいて、血球Ｃが滞留している血球滞留部を凝集領域Ｒ１，Ｒ２から抽出し、当該血球滞留部の面積を凝集量として算出する。
【００５０】
具体的には、エッジ量に基づいて血球滞留部を抽出する場合には、演算処理部７０は、血流画像中の凝集領域Ｒ１，Ｒ２に対し垂直及び水平の両方向へＳｏｂｅｌフィルタをかけることで凝集領域Ｒ１，Ｒ２内の血球Ｃのエッジを取り出した後、このエッジ量が所定の閾値以上の部分を血球滞留部として抽出し、その面積を算出する。なお、必要に応じて、予め設定した値より小さい面積の部分をノイズとして血球滞留部から減じてもよいし、色相や輝度を利用して血球滞留部内の血球種を判別してもよい。
【００５１】
また、濃度に基づいて血球滞留部を抽出する場合には、演算処理部７０は、色の濃い部分を血球Ｃが含まれる部分とし、色の薄い部分を血球Ｃが含まれない部分として、凝集領域Ｒ１，Ｒ２内の画像色の濃度が所定の閾値以上の部分を血球滞留部として抽出し、その面積を算出する。
【００５２】
以上の凝集量計測装置１によれば、凝集領域Ｒ１，Ｒ２が血球Ｃの速度又は流れ角度に基づいて判別された後、この凝集領域Ｒ１，Ｒ２に対して凝集量の算出が行われる。これにより、凝集が発生していない領域に対して解析処理を行うことがなく、解析時間を短縮し解析コストを低減しつつ凝集量を算出することができる。したがって、従来に比べ、短時間且つ低コストで凝集量を算出することができる。
【００５３】
また、血球Ｃの速度又は流れ角度に基づいて凝集領域Ｒ１，Ｒ２が判別された上で、更にその凝集領域Ｒ１，Ｒ２に対して血球Ｃのエッジ量又は濃度に基づいて凝集量の算出が行われる。つまり、凝集の発生の判定が２重になされることになる。したがって、凝集の発生をより高精度に判定することができる。
【００５４】
なお、本発明は上記実施形態に限定して解釈されるべきではなく、適宜変更・改良が可能であることはもちろんである。
【００５５】
例えば、上記実施形態では、凝集量計測方法フローのステップＳ４において血球Ｃの速度と流れ角度との２つを算出することとしたが、ステップＳ５での凝集領域の判別に用いるいずれか一方のみを算出することとしてもよい。
【００５６】
また、凝集領域Ｒ１，Ｒ２内の血球滞留部の面積を凝集量として算出することとしたが、ステップＳ４で算出した血球Ｃの速度の標準偏差や流れ角度を凝集量としてもよいし、予め設けた変換テーブルでこれらを変換した他の凝集量を求めてもよい。この場合には、滞留した血球を特定する必要がなく、容易に凝集量を算出することができる。また、一般に、血球Ｃの速度は変形能の算出に用いられるため、凝集量と併せて変形能も同時に算出することができる。
【符号の説明】
【００５７】
１  凝集量計測装置
３  ＴＶカメラ（撮影手段）
２５  流路部（流路）
２５ａ  ゲート
７０  演算処理部（血流情報算出手段、凝集領域判別手段、凝集量算出手段）
Ｃ  血球
Ｄ  変化部分
Ｒ１，Ｒ２  凝集領域
【図１】
2010137471.tif 000003
【図２】
2010137471.tif 000004
【図３】
2010137471.tif 000005
【図４】
2010137471.tif 000006
【図５】
2010137471.tif 000007
【国際調査報告】
2010137471.tif 000008
2010137471.tif 000009
2010137471.tif 000010
2010137471.tif 000011